【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  ネットワークに接続するためのインターフェイスを備える情報処理装置において、
前記ネットワークの設定をネットワーク毎にプロファイルとして管理する管理手段と、
前記ネットワークへの第１の接続を検知する検知手段と、
前記検知手段により前記ネットワークへの第１の接続を検知した場合、検知された前記ネットワークに対応するプロファイルが、前記管理手段により管理されているか否かを判断する判断手段と、
前記判断手段により前記ネットワークに対応するプロファイルが前記管理手段により管理されていると判断された場合、その管理されているプロファイルに基づき前記ネットワークへの第２の接続を完了させる完了手段と
を含むことを特徴とする情報処理装置。
【請求項２】  前記検知手段は、ルーティングテーブルに変更があったか否かを判断することにより、前記ネットワークへの第１の接続を検知する
ことを特徴とする請求項１に記載の情報処理装置。
【請求項３】  前記検知手段は、前記ネットワークを管理するゲートウェイの装置との接続を前記第１の接続として検知し、
前記判断手段は、前記ゲートウェイの装置に関するプロファイルが、前記管理手段により管理されているか否かを判断し、
前記完了手段は、前記ゲートウェイの装置に関するプロファイルに基づいて、前記ネットワークへの第２の接続を完了させる
ことを特徴とする請求項１に記載の情報処理装置。
【請求項４】  前記検知手段により前記ネットワークへの第１の接続が検知された場合、１だけカウントするカウント手段と、
前記検知手段により前記ネットワークへの第１の接続が検知された場合、前記カウント手段によりカウントされているカウント値を１だけ減算した値が０になったか否かを判定する判定手段と
をさらに含み、
前記判定手段により、前記カウント手段によりカウントされているカウント値を１だけ減算した値が０になったと判定された場合、前記判断手段は、その０と判断されたときに前記検知手段により検知された前記ネットワークに関するプロファイルが、前記管理手段により管理されているか否かを判断する
ことを特徴とする請求項１に記載の情報処理装置。
【請求項５】  前記判断手段は、ＳＳＩＤ、ＭＡＣアドレス、ＩＰアドレス、前記ネットワークにユーザがつけた接続名のうち、少なくとも１つを用いて前記検知手段により検知された前記ネットワークに関するプロファイルが、前記管理手段により管理されているか否かを判断する
ことを特徴とする請求項１に記載の情報処理装置。
【請求項６】  前記インターフェイスが、有線ＬＡＮ用のインターフェイスまたは無線ＬＡＮ用のインターフェイスである場合、前記第１の接続は、前記ネットワークを管理するゲートウェイの装置との接続であり、前記第２の接続は、前記ゲートウェイの装置を介した他の装置への接続であり、
前記インターフェイスが、モデムである場合、前記第１の接続は、ＩＳＰへの接続であり、前記第２の接続は、前記ＩＳＰを介した他の装置への接続である
ことを特徴とする請求項１に記載の情報処理装置。
【請求項７】  前記完了手段により前記ネットワークへ第２の接続が完了した場合、ユーザにより設定されている所定のソフトウェアを起動させる起動手段を
さらに含むことを特徴とする請求項１に記載の情報処理装置。
【請求項８】  ネットワークに接続するためのインターフェイスを備える情報処理装置の情報処理方法において、
前記ネットワークの設定をネットワーク毎にプロファイルとして管理する管理ステップと、
前記ネットワークへの第１の接続を検知する検知ステップと、
前記検知ステップの処理で前記ネットワークへの第１の接続を検知した場合、検知された前記ネットワークに対応するプロファイルが、前記管理ステップの処理で管理されているか否かを判断する判断ステップと
前記判断ステップの処理で前記ネットワークに対応するプロファイルが前記管理ステップの処理で管理されていると判断された場合、その管理されているプロファイルに基づき前記ネットワークへの第２の接続を完了させる完了ステップと
を含むことを特徴とする情報処理方法。
【請求項９】  ネットワークに接続するためのインターフェイスを備える情報処理装置を制御するコンピュータに、
前記ネットワークの設定をネットワーク毎にプロファイルとして管理する管理ステップと、
前記ネットワークへの第１の接続を検知する検知ステップと、
前記検知ステップの処理で前記ネットワークへの第１の接続を検知した場合、検知された前記ネットワークに対応するプロファイルが、前記管理ステップの処理で管理されているか否かを判断する判断ステップと
前記判断ステップの処理で前記ネットワークに対応するプロファイルが前記管理ステップの処理で管理されていると判断された場合、その管理されているプロファイルに基づき前記ネットワークへの第２の接続を完了させる完了ステップと
を実行させることを特徴とするプログラム。
【請求項１０】  ネットワークに接続するためのインターフェイスを備える情報処理装置において、
前記ネットワークに接続された際の各種設定を、ネットワーク毎にプロファイルとして管理する管理手段と、
前記ネットワーク接続の変更を検知する検知手段と、
前記検知手段によってネットワーク接続の変更が検知されたとき、接続されたネットワークに対応するプロファイルが前記管理手段により管理されているか否かを判断する判断手段と、
前記判断手段により、前記接続されたネットワークに対応するプロファイルが前記管理手段により管理されていると判断された場合、前記接続されたネットワークに対応するプロファイルに基づく設定を行う設定手段と
を含むことを特徴とする情報処理装置。
【請求項１１】  前記検知手段は、ルーティングテーブルに変更があったか否かを判断することにより、前記ネットワークへ接続の変更を検知する
ことを特徴とする請求項１０に記載の情報処理装置。
【請求項１２】  前記検知手段は、前記ネットワークを管理するゲートウェイの装置との接続を検知し、
前記判断手段は、前記ゲートウェイの装置に関するプロファイルが、前記管理手段により管理されているか否かを判断し、
前記設定手段は、前記ゲートウェイの装置に関するプロファイルに基づく設定を行う
ことを特徴とする請求項１０に記載の情報処理装置。
【請求項１３】  前記判断手段は、ＳＳＩＤ、ＭＡＣアドレス、ＩＰアドレス、前記ネットワークにユーザがつけた接続名のうち、少なくとも１つを用いて前記検知手段により検知された前記ネットワークに関するプロファイルが、前記管理手段により管理されているか否かを判断する
ことを特徴とする請求項１０に記載の情報処理装置。
【請求項１４】  ネットワークに接続するためのインターフェイスを備える情報処理装置の情報処理方法において、
前記ネットワークに接続された際の各種設定を、ネットワーク毎にプロファイルとして管理する管理ステップと、
前記ネットワーク接続の変更を検知する検知ステップと、
前記検知ステップの処理でネットワーク接続の変更が検知されたとき、接続されたネットワークに対応するプロファイルが前記管理ステップの処理で管理されているか否かを判断する判断ステップと、
前記判断ステップの処理により、前記接続されたネットワークに対応するプロファイルが前記管理ステップの処理により管理されていると判断された場合、前記接続されたネットワークに対応するプロファイルに基づく設定を行う設定ステップと
を含むことを特徴とする情報処理方法。
【請求項１５】  ネットワークに接続するためのインターフェイスを備える情報処理装置を制御するコンピュータに、
前記ネットワークに接続された際の各種設定を、ネットワーク毎にプロファイルとして管理する管理ステップと、
前記ネットワーク接続の変更を検知する検知ステップと、
前記検知ステップの処理でネットワーク接続の変更が検知されたとき、接続されたネットワークに対応するプロファイルが前記管理ステップの処理で管理されているか否かを判断する判断ステップと、
前記判断ステップの処理により、前記接続されたネットワークに対応するプロファイルが前記管理ステップの処理により管理されていると判断された場合、前記接続されたネットワークに対応するプロファイルに基づく設定を行う設定ステップと
を実行させることを特徴とするプログラム。
【手続補正２】
【補正対象書類名】明細書
【補正対象項目名】００１１
【補正方法】変更
【補正の内容】
【００１１】
【課題を解決するための手段】
本発明の第１の情報処理装置は、ネットワークの設定をネットワーク毎にプロファイルとして管理する管理手段と、ネットワークへの第１の接続を検知する検知手段と、検知手段によりネットワークへの第１の接続を検知した場合、検知されたネットワークに対応するプロファイルが、管理手段により管理されているか否かを判断する判断手段と判断手段によりネットワークに対応するプロファイルが管理手段により管理されていると判断された場合、その管理されているプロファイルに基づきネットワークへの第２の接続を完了させる完了手段とを含むことを特徴とする。
【手続補正３】
【補正対象書類名】明細書
【補正対象項目名】００１８
【補正方法】変更
【補正の内容】
【００１８】
本発明の第１の情報処理方法または第１のプログラムは、ネットワークの設定をネットワーク毎にプロファイルとして管理する管理ステップと、ネットワークへの第１の接続を検知する検知ステップと、検知ステップの処理でネットワークへの第１の接続を検知した場合、検知されたネットワークに対応するプロファイルが、管理ステップの処理で管理されているか否かを判断する判断ステップと判断ステップの処理でネットワークに対応するプロファイルが管理ステップの処理で管理されていると判断された場合、その管理されているプロファイルに基づきネットワークへの第２の接続を完了させる完了ステップとを含むことを特徴とする。
【手続補正４】
【補正対象書類名】明細書
【補正対象項目名】００１９
【補正方法】変更
【補正の内容】
【００１９】
本発明の第２の情報処理装置は、ネットワークに接続された際の各種設定を、ネットワーク毎にプロファイルとして管理する管理手段と、ネットワーク接続の変更を検知する検知手段と、検知手段によってネットワーク接続の変更が検知されたとき、接続されたネットワークに対応するプロファイルが管理手段により管理されているか否かを判断する判断手段と、判断手段により、接続されたネットワークに対応するプロファイルが管理手段により管理されていると判断された場合、接続されたネットワークに対応するプロファイルに基づく設定を行う設定手段とを含むことを特徴とする。
前記検知手段は、ルーティングテーブルに変更があったか否かを判断することにより、ネットワークへ接続の変更を検知するようにすることができる。
前記検知手段は、ネットワークを管理するゲートウェイの装置との接続を検知し、判断手段は、ゲートウェイの装置に関するプロファイルが、管理手段により管理されているか否かを判断し、設定手段は、ゲートウェイの装置に関するプロファイルに基づく設定を行うようにすることができる。
前記判断手段は、ＳＳＩＤ、ＭＡＣアドレス、ＩＰアドレス、ネットワークにユーザがつけた接続名のうち、少なくとも１つを用いて検知手段により検知されたネットワークに関するプロファイルが、管理手段により管理されているか否かを判断するようにすることができる。
本発明の第２の情報処理方法または第２のプログラムは、ネットワークに接続された際の各種設定を、ネットワーク毎にプロファイルとして管理する管理ステップと、ネットワーク接続の変更を検知する検知ステップと、検知ステップの処理でネットワーク接続の変更が検知されたとき、接続されたネットワークに対応するプロファイルが管理ステップの処理で管理されているか否かを判断する判断ステップと、判断ステップの処理により、接続されたネットワークに対応するプロファイルが管理ステップの処理により管理されていると判断された場合、接続されたネットワークに対応するプロファイルに基づく設定を行う設定ステップとを含むことを特徴とする。
【手続補正５】
【補正対象書類名】明細書
【補正対象項目名】００２０
【補正方法】変更
【補正の内容】
【００２０】
本発明の第１の情報処理装置および方法、並びにプログラムにおいては、ネットワークへの接続が検知された場合、予め作成されているプロファイル内に、そのネットワークに関するプロファイルが存在するか否かを判断し、存在する場合、そのプロファイルに従ってネットワークへの接続を完了させる。
本発明の第２の情報処理装置および方法、並びにプログラムにおいては、ネットワークに接続された際の各種設定が、ネットワーク毎にプロファイルとして管理され、ネットワーク接続の変更が検知されたとき、接続されたネットワークに対応するプロファイルが管理されているか否かが判断され、接続されたネットワークに対応するプロファイルが管理されていると判断された場合、接続されたネットワークに対応するプロファイルに基づく設定が行われる。
【手続補正６】
【補正対象書類名】明細書
【補正対象項目名】０２５９
【補正方法】変更
【補正の内容】
【０２５９】
【発明の効果】
本発明の第１または第２の情報処理装置および方法、並びにプログラムによれば、接続先のネットワークの切り換えの処理を簡便に行うことができる。
【手続補正７】
【補正対象書類名】明細書
【補正対象項目名】０２６０
【補正方法】変更
【補正の内容】
【０２６０】
また、本発明の第１または第２の情報処理装置および方法、並びにプログラムによれば、接続先のネットワークの切り換えが頻繁に発生してしまうような状況下でも、ネットワークの接続の安定性を保ち、適切な接続を維持することが可能となる。